(57)【要約】【課題】前面が開口したオープンタイプという基本構成はそのままに、前面開口に対して好きな位置に自由に且つ簡単にマガジンラックを設置できる、新しい収納庫を提供する。【解決手段】前面が開口したオープンタイプの収納庫（１）において、棚板（３）およびマガジンラック板（４）兼用の複数の取付孔（２ａ）が左右側板（１）に配設し、棚板（３）を棚板用支持具（６）を介して左右側板（１）の所望位置の取付孔（２ａ）に取付け可能とし、且つマガジンラック板（４）をマガジンラック板用支持具（５）を介して左右側板（１）の所望位置の取付孔（２ａ）に、収納庫（１）の前面開口を蓋するように且つ上下回動自在に取付け可能とする。【選択図】      図１
2004223007.tif 000002
【特許請求の範囲】
【請求項１】
前面が開口したオープンタイプの収納庫であって、
棚板およびマガジンラック板兼用の複数の取付孔が左右側板に配設されており、
棚板を棚板用支持具を介して左右側板の所望位置の取付孔に取付け可能となっており、且つマガジンラック板をマガジンラック板用支持具を介して左右側板の所望位置の取付孔に、収納庫の前面開口を蓋するように且つ上下回動自在に取付け可能となっている、
ことを特徴とする収納庫。
【請求項２】
マガジンラック板用支持具は、左右側板の取付孔にネジ固定される軸受け部材と、マガジンラック板に固定され且つ軸受け部材に回動自在に取り付けられる軸部材とを有していることを特徴とする請求項１記載の収納庫。
【請求項３】
マガジンラック板用支持具の軸受け部材は、軸部材が回動自在に嵌め込まれる上方に開口した軸受け溝部を有していることを特徴とする請求項２記載の収納庫。
【請求項４】
マガジンラック板用支持具は、マガジンラック板に固定され且つ左右側板の取付孔に回動自在に取り付けられる軸部材を有していることを特徴とする請求項１記載の収納庫。
【請求項５】
マガジンラック板は、透光性を有する樹脂材で構成したものであることを特徴とする請求項１ないし４のいずれかに記載の収納庫。
【発明の詳細な説明】
【０００１】
【発明の属する技術分野】
この出願の発明は、収納庫に関するものである。さらに詳しくは、この出願の発明は、前面が開口したオープンタイプの収納庫に関するものである。
【０００２】
【従来の技術】
従来、扉がなく前面が開口した状態のオープンタイプの収納庫が知られている（たとえば特許文献１参照）。
【０００３】
この収納庫において、雑誌や新聞等（以下、雑誌類と総称する）を収納する場合には通常、棚板上に並べてあるいは積み重ねて入れておき、背表紙を見て選び取り出すようにしている。
【０００４】
しかし、良く読む雑誌類については、マガジンラックのようにおもて表紙を見せて立て掛け、選び易く取り出し易くしておきたいという要望がしばしばある。またおもて表紙を見せて洒落た空間演出をしたいという要望も増えてきている。
【０００５】
そこで、収納庫の前面に扉を設置し、扉に雑誌類を表紙が見えるように立て掛けておくことのできるマガジンラックとなる棚部を設けることが既に提案されている（たとえば特許文献２参照）。
【０００６】
【特許文献１】
特開平８−１５４７４９号公報
【特許文献２】
実公平６−１０８５１号公報
【０００７】
【発明が解決しようとする課題】
しかしながら、上記特許文献２記載のような従来の収納庫では、マガジンラック棚部を設けるために別途の扉を設置する必要があり、また扉の設置には扉専用の取付構造を収納庫自体に予め与えておく必要もあり、扉もマガジンラック棚部も好きなときに簡単に設置できないという不都合が考えられる。またさらに、扉は収納庫の前面開口全体を隠すように設置されるので、オープンタイプの収納庫とはならず、また一部は扉を設けずに前面を開口させた状態で使用し、他の一部はマガジンラック棚部を設けて使用したいなどといった使用者の様々な要望に対応することも困難でもある。
【０００８】
そこで、この出願の発明は、以上のとおりの事情に鑑み、前面が開口したオープンタイプという基本構成はそのままに、前面開口に対して好きな位置に自由に且つ簡単にマガジンラックを設けることができるようにした、新しい収納庫を提供することを課題としている。
【０００９】
【課題を解決するための手段】
この出願の発明は、上記の課題を解決するものとして、第１には、前面が開口したオープンタイプの収納庫であって、棚板およびマガジンラック板兼用の複数の取付孔が左右側板に配設されており、棚板を棚板用支持具を介して左右側板の所望位置の取付孔に取付け可能となっており、且つマガジンラック板をマガジンラック板用支持具を介して左右側板の所望位置の取付孔に、収納庫の前面開口を蓋するように且つ上下回動自在に取付け可能となっている、ことを特徴とする収納庫を提供する。
【００１０】
また、この出願の発明は、第２には、前記マガジンラック板用支持具は、左右側板の前記取付孔にネジ固定される軸受け部材と、前記マガジンラック板に固定され且つ前記軸受け部材に回動自在に取り付けられる軸部材とを有していることを特徴とする収納庫、第３には、前記マガジンラック板用支持具の前記軸受け部材は、前記軸部材が回動自在に嵌め込まれる上方に開口した軸受け溝部を有していることを特徴とする収納庫、第４には、前記マガジンラック板用支持具は、前記マガジンラック板に固定され且つ左右側板の前記取付孔に回動自在に取り付けられる軸部材を有していることを特徴とする収納庫、第５には、前記マガジンラック板は、透光性を有する樹脂材で構成したものであることを特徴とする収納庫を提供する。
【００１１】
【発明の実施の形態】
上記のとおりの特徴を有するこの出願の発明によれば、たとえば図１〜図１６に例示したように、前面が開口したオープンタイプの収納庫（１）について、棚板（３）およびマガジンラック板（４）兼用の取付孔（２ａ）複数を左右の側板（１１）それぞれに配設しておき、棚板（３）を棚板用支持具（６）を介して左右両側の側板（１１）における所望位置の取付孔（２ａ）に取付け可能とし、且つマガジンラック板（４）をマガジンラック板用支持具（５）を介して左右両側の側板（１１）における所望位置の取付孔（２ａ）に、収納庫（１）の前面開口を蓋するように且つ上下回動自在に取付け可能とすることで、オープンタイプの収納庫（１）としたまま、棚板（３）を側板（１１）間の任意位置に設置できることはもちろんのこと、棚板（３）の取付けに使用される取付孔（２ａ）をマガジンラック板（４）の取付けにも兼用して、マガジンラック板（４）を前面開口に対して任意位置に自由に且つ簡単に設けることのできる収納庫（１）が実現されるのである。
【００１２】
より具体的には、まず図１〜図１３に示した実施形態では、収納庫（１）は、左右の側板（１１）と、天板（１２）、地板（１３）、裏板（１４）とで構成され、前面が開口したオープンタイプとなっており、側板（１１）には、前面開口に近い内壁前方に、棚板（３）の取付けおよびマガジンラック板（４）の取付けに兼用される複数の取付孔（２ａ）が所定間隔を持って縦方向に並んで配設されており、また裏板（１４）に近い内壁後方に、棚板（３）を取り付けるための複数の取付孔（２ｂ）が同様に所定間隔を持って縦方向に並んで配設されている。すなわち、左右両側の側板（１１）はそれぞれ２列の取付孔（２ａ）（２ｂ）群を有しており、前方列の取付孔（２ａ）群は棚板（３）およびマガジンラック板（４）の取付け兼用のもの、後方列の取付孔（２ｂ）群は棚板（３）の取付け専用のものとなっているのである。
【００１３】
この収納庫（１）において、棚板（３）は、前方列の取付孔（２ａ）群および後方列の取付孔（２ｂ）群における所望位置のものに対して棚板用支持具（６）（図３、図４参照）を介して取り付けられる。棚板用支持具（６）は、たとえば取付孔（２ａ）（２ｂ）に差し込まれるピン状のもの（図３、図４参照）を考慮でき、このピン状の棚板用支持具（６）を左右両側の側板（１１）の取付孔（２ａ）（２ｂ）に計４箇所差し込み、それらにて棚板（３）を水平に支持する。この場合棚板（３）には、ピン状の棚板用支持具（６）が嵌まるピン受け凹部（３１）（図３、図４参照）を設けておいてもよい。
【００１４】
他方、マガジンラック板（４）は、前方列の取付孔（２ａ）群における所望位置のものに対してマガジンラック板用支持具（５）を介して取り付けられる（図１〜図４参照）。
【００１５】
このマガジンラック板（４）は、より具体的には、四角い平板状の蓋部材（４１）と、蓋部材（４１）の下部に取り付けられ、雑誌類（１００）の端部を受けて立て掛け支持するマガジン受け部材（４２）とを有している（図１〜図７参照）。
【００１６】
蓋部材（４１）は、マガジン受け部材（４２）をネジ固定するための２つのネジ貫通孔（４１１）（図６参照）を下部に有し、後述するマガジンラック板用支持具（５）の軸部材（５２）をネジ固定するためのネジ貫通孔（４１２）（図６参照）を左上角部および右上角部に有している。
【００１７】
マガジン受け部材（４２）は、蓋部材（４１）の下部裏面に当接してネジ固定される、蓋部材（４１）の横幅寸法と略等しい長尺板状の固定板部（４２１）（図２〜図５、図７参照）と、蓋部材（４１）の下端部を嵌め込んで受ける、固定板部（４２１）から前方に突出し且つ上方に開口した蓋受け板部（４２２）（図３〜図５、図７参照）と、雑誌類（１００）の端部を受ける、固定板部（４２１）からさらに前方に突出し且つ上方に開口した受け桟状のマガジン受け板部（４２３）（図２〜図５、図７参照）とを有しており、２つの固定ネジ（４２５）（図２〜図５参照）を蓋部材（４１）の表側からその左右２つのネジ貫通孔（４１１）を通して固定板部（４２１）の左右２つのネジ孔（４２４）にねじ込むことで、蓋部材（４１）の下部にネジ固定されて取り付けられる。
【００１８】
以上のマガジンラック板（４）を左右の側板（１１）間にて取付孔（２ａ）に取付け支持するマガジンラック板用支持具（５）については、種々の構造のものを考慮でき、たとえば図１〜図１３の実施形態では、左右の側板（１１）の取付孔（２ａ）にネジ固定される軸受け部材（５１）（図１〜図５、図８、図９参照）と、マガジンラック板（４）に固定され且つ軸受け部材（５１）に回動自在に取り付けられる軸部材（５２）（図１〜図５、図１０、図１１参照）とを有するものとなっている。
【００１９】
より具体的には、軸受け部材（５１）は、図８（ａ）〜（ｄ）に詳細に示したように、取付孔（２ａ）間の間隔と略同一の間隔寸法を持って設けられた上下２つのネジ貫通孔（５１３）を有する固定板部（５１１）と、この固定板部（５１１）の側方に偏倚して設けられた、上方に開口する軸受け溝部（５１２）とを有している。
【００２０】
軸部材（５２）は、図１０（ａ）〜（ｅ）に詳細に示したように、板裏面に設けられた左右２つのネジ孔（５２４）を有する固定板部（５２１）と、固定板部（５２１）の側端部から立設された軸支持板部（５２２）と、軸支持板部（５２２）の側面から外方に突出して設けられた軸突部（５２３）とを有している。
【００２１】
この場合において、まず、図９に示したように、軸受け部材（５１）を左右両側の側板（１１）に対して取り付ける。これは、２つの固定ネジ（５１４）を固定板部（５１１）の表側からその上下２つのネジ貫通孔（５１３）を通して側板（１１）における所望位置の上下２つの取付孔（２ａ）にねじ込むことにより、固定板部（５１１）を側板（１１）内壁に当接させてネジ固定することで、行う。
【００２２】
他方、図１１に示したように、２つの軸部材（５２）をマガジンラック板（４）の蓋部材（４１）の左上角部および右上角部に対して取り付けておく。これは、左右２つずつ、計４つの固定ネジ（５２５）（図５参照）を蓋部材（４１）の裏側からそのネジ貫通孔（４１２）を通して固定板部（５２１）のネジ孔（５２４）（図１０（ｃ）参照）にねじ込むことにより、固定板部（５２１）を蓋部材（４１）の左上角部および右上角部の表面に当接させてネジ固定することで、行う。このネジ固定の際には、たとえば、図１２に示したようなワッシャー（５３）を、固定ネジ（５２５）のネジ頭と蓋部材（４１）の裏面との間に介在させてもよい（図３、図４、図５（ｂ）参照）。
【００２３】
そして、図１３に示したように、マガジンラック板（４）の蓋部材（４１）を左右の側板（１１）間に前方から差し込み、蓋部材（４１）に上記の通り取り付けられている軸部材（５２）の軸突部（５２３）を側板（１１）内壁に上記の通り取り付けられている軸受け部材（５１）の軸受け溝部（５１２）へ上方から落とし込むことで、マガジンラック板（４）を取り付けることができる。後は蓋部材（４１）を軸受け溝部（５１２）内に回動自在に嵌まっている軸突部（５２３）を中心として下方に回動させて下ろせば、蓋部材（４１）が側板（１１）間の前面開口を蓋するようになり（図１、図２、図４参照）、且つ蓋部材（４１）の下端部に設けられたマガジン受け部材（４２）が雑誌類（１００）をそのおもて表紙が見えるように立掛け支持できるようになる（図１参照）。これにより、マガジンラック板（４）は、収納庫（１）の前面開口の蓋兼雑誌類（１００）のマガジンラックとして機能するのである。
【００２４】
また、このマガジンラック板（４）は軸部材（５２）を中心に上下回動自在であるため、上下に回動開閉させることで、蓋部材（４１）で隠れている側板（１１）間スペースも通常通り収納スペースとして使用することができる。
【００２５】
またさらに、このマガジンラック板（４）の蓋部材（４１）に透光性を有する樹脂材で構成したもの（たとえば半透明樹脂板材など）を用いれば、蓋部材（４１）裏側の収納スペースも透けて見ることができ、収納物の把握が可能となる。
【００２６】
またさらに、図１〜図４では、閉じた状態のマガジンラック板（４）の下端部がちょうど当たる位置に棚板（３）が取り付けられており、マガジンラック板（４）は、その下端部が棚板（３）の先端部に当たって上から下へ若干傾斜した状態、つまり蓋部材（４１）の上部が側板（１１）間に入り込み蓋部材（４１）の下部がマガジン受け部材（４２）とともに手前に出た傾斜状態に保持されている。この傾斜状態によって、雑誌類（１００）を下部が手前に出るように斜めに立て掛けられるので（図１参照）、立掛け安定性を高く維持することができる。したがってたとえば、マガジン受け部材（４２）の受け桟形状を意匠性等を考慮して比較的浅いものとしても、安定性良く雑誌類（１００）を立て掛けられ、また雑誌類（１００）のおもて表紙をあまり隠さずに済む。
【００２７】
もちろん、このマガジンラック板（４）の傾斜状態については、マガジンラック板用支持具（５）の軸受け部材（５１）および／または軸部材（５２）にストッパー機構を設けたり、別体のストッパー手段をマガジンラック板用支持具（５）あるいはマガジンラック板（４）などに設けたりしても、確保できることは言うまでもない。
【００２８】
以上の図１〜図１３の実施形態におけるマガジンラック板用支持具（５）は軸受け部材（５１）と軸部材（５２）とからなるものであるが、たとえば図１４に例示したように、マガジンラック板（４）に固定され且つ左右側板（１１）の取付孔（２ａ）に回動自在に取り付けられる軸部材（５４）を有するマガジンラック板用支持具（５）の使用も考慮できる。
【００２９】
より具体的には、図１４の実施形態におけるマガジンラック板用支持具（５）は、マガジンラック板（４）の蓋部材（４１）の左上角部および右上角部にネジ等により固定される固定板部（５４１）と、固定板部（５４１）から側方に突出可能なラッチ棒部（５４２）とを備えた軸部材（５４）からなるものとなっており、ラッチ棒部（５４２）を引っ込ませた状態でマガジンラック板（４）の蓋部材（４１）を左右の側板（１１）間に差し込み、側板（１１）の所望位置の取付孔（２ａ）に対してラッチ棒部（５４２）を突出させて挿入させることで、マガジンラック板（４）を取り付けることができる。
【００３０】
もちろんこの場合においても、マガジンラック板（４）は、取付孔（２ａ）内に回動自在に嵌まっているラッチ棒部（５４２）を中心として上下回動自在であり、収納庫（１）の前面開口の蓋兼雑誌類（１００）のマガジンラックとして機能することとなる。
【００３１】
以上説明した各実施形態によれば、たとえば、図１５や図１６に例示したように、複数の収納庫（１）を並設させたシステム収納庫において、任意の収納庫（１）における側板（１１）間の任意位置にマガジンラック板（４）を簡単に取り付けることができるようになる。図１５では、４つ並設したオープンタイプの収納庫（１）それぞれに対して、収納スペースを３分割するように設けられた上下２つの棚板（３）間にマガジンラック板（４）を取り付けている（図１も同様である）。図１６では、側板（１１）間の寸法が複数種ある場合にそれぞれに対応させた横幅寸法のマガジンラック板（４）を複数種予め用意しておき、それらを好きな位置に取り付けられるようにしている。
【００３２】
もちろん、この出願の発明は以上の実施形態に限定されるものではなく、細部については様々な態様が可能である。
【００３３】
【発明の効果】
以上説明したとおり、この出願の発明によって、前面が開口したオープンタイプという基本構成はそのままに、前面開口に対して好きな位置に自由に且つ簡単にマガジンラックを設けることができるようにした、新しい収納庫が提供される。
【図面の簡単な説明】
【図１】この出願の発明の一実施形態を示した斜視図である。
【図２】この出願の発明の一実施形態を示した斜視図である。
【図３】マガジンラック板（４）の開状態を説明するための図である。
【図４】マガジンラック板（４）の閉状態を説明するための図である。
【図５】（ａ）（ｂ）（ｃ）は、各々、マガジンラック板（４）およびマガジンラック板用支持具（５）を示した正面図、側面図および一部平面図である。
【図６】（ａ）（ｂ）は、各々、マガジンラック板（４）の蓋部材（４１）を示した正面図および側面図である。
【図７】（ａ）（ｂ）（ｃ）は、各々、マガジンラック板（４）のマガジン受け部材（４２）を示した正面図、側面図および斜視図である。
【図８】（ａ）（ｂ）（ｃ）（ｄ）は、各々、マガジンラック板用支持具（５）の軸受け部材（５１）を示した正面図、側面図、裏面図および平面図である。
【図９】軸受け部材（５１）の収納庫（１）の側板（１１）への取付けについて説明するための斜視図である。
【図１０】（ａ）（ｂ）（ｃ）（ｄ）（ｅ）は、各々、マガジンラック板用支持具（５）の軸部材（５２）を示した正面図、側面図、裏面図、Ａ断面図および平面図である。
【図１１】軸部材（５２）のマガジンラック板（４）の蓋部材（４１）への取付けについて説明するための斜視図である。
【図１２】（ａ）（ｂ）は、各々、軸部材（５２）の蓋部材（４１）への取付け時に使用されるワッシャー（５３）を示した正面図および側面図である。
【図１３】マガジンラック板（４）の側板（１１）間への取付けについて説明するための斜視図である。
【図１４】マガジンラック板用支持具（５）の別の一実施形態を示した斜視図である。
【図１５】この出願の発明を適用したシステム収納庫の一例を示した斜視図である。
【図１６】この出願の発明を適用したシステム収納庫の別の一例を示した斜視図である。
【符号の説明】
１  収納庫
１１  側板
１２  天板
１３  地板
１４  裏板
２ａ，２ｂ  取付孔
３  棚板
３１  ピン受け凹部
４  マガジンラック板
４１  蓋部材
４１１  ネジ貫通孔
４１２  ネジ貫通孔
４２  マガジン受け部材
４２１  固定板部
４２２  蓋受け板部
４２３  マガジン受け板部
４２４  ネジ孔
４２５  固定ネジ
５  マガジンラック板用支持具
５１  軸受け部材
５１１  固定板部
５１２  軸受け溝部
５１３  ネジ貫通孔
５１４  固定ネジ
５２  軸部材
５２１  固定板部
５２２  軸支持板部
５２３  軸突部
５２４  ネジ孔
５２５  固定ネジ
５３  ワッシャー
５３１  ネジ貫通孔
５４  軸部材
５４１  固定板部
５４２  ラッチ棒部
６  棚板用支持具
１００  雑誌類
【図１】
2004223007.tif 000003
【図２】
2004223007.tif 000004
【図３】
2004223007.tif 000005
【図４】
2004223007.tif 000006
【図５】
2004223007.tif 000007
【図６】
2004223007.tif 000008
【図７】
2004223007.tif 000009
【図８】
2004223007.tif 000010
【図９】
2004223007.tif 000011
【図１０】
2004223007.tif 000012
【図１１】
2004223007.tif 000013
【図１２】
2004223007.tif 000014
【図１３】
2004223007.tif 000015
【図１４】
2004223007.tif 000016
【図１５】
2004223007.tif 000017
【図１６】
2004223007.tif 000018